(57)【要約】  放射線粒子検出器においてシンチレーションイベントの位置を決定する方法であって、前記放射線粒子検出器は、シンチレータ素子のロケーションで放射線粒子が吸収されるのに応じて光子のバーストを放射するように構成された複数のシンチレータ素子のロケーションを有し、前記シンチレータ素子のロケーションに光学的に結合された複数のフォトセンサとを有し、前記方法は、前記フォトセンサの各々について、所定のトリガー閾値を越える光子数を測定する、前記フォトセンサの確率を示すトリガー確率を決定するステップと、前記フォトセンサで、個々のフォトセンサに入射する光子数を示す光子分布を測定するステップと、前記フォトセンサの各々の、測定された光子分布とトリガー確率とに基づいて、所定のエネルギー値を有するシンチレーションイベントが前記シンチレータ素子のロケーションで発生する尤度を、前記シンチレータ素子のロケーションの各々について、計算するステップと、最大尤度を有するシンチレータ素子のロケーションを特定するステップとを含む。
2017527782.tif 000002
【特許請求の範囲】
【請求項１】
放射線粒子検出器においてシンチレーションイベントの位置を決定する方法であって、前記放射線粒子検出器は、シンチレータ素子のロケーションで放射線粒子が吸収されるのに応じて光子のバーストを放射するように構成された複数のシンチレータ素子のロケーションを有し、前記シンチレータ素子のロケーションに光学的に結合された複数のフォトセンサとを有し、前記方法は、
前記フォトセンサの各々について、所定のトリガー閾値を越える光子数を測定する、前記フォトセンサの確率を示すトリガー確率を決定するステップと、
前記フォトセンサで、個々のフォトセンサに入射した光子数を示す光子分布を測定するステップと、
前記フォトセンサの各々の、測定された光子分布とトリガー確率とに基づいて、所定のエネルギー値を有するシンチレーションイベントが前記シンチレータ素子のロケーションで発生する尤度を、前記シンチレータ素子のロケーションの各々について、計算するステップと、
最大尤度を有するシンチレータ素子のロケーションを特定するステップとを含む、
方法。
【請求項２】
前記方法は、さらに、
前記シンチレータ素子のロケーションの各々について、前記シンチレータ素子のロケーションでシンチレーションイベントが発生したときの、前記フォトセンサの各々に入射した基準光子数を示す基準光子分布を決定するステップと、
さらに前記基準光子分布に基づいて前記尤度を計算するステップとを含む、
請求項１に記載の方法。
【請求項３】
前記フォトセンサの各々の前記基準光子分布及び／又は前記トリガー確率は、校正手順中に取得された測定値に基づいて決定される、請求項１ないし２いずれか一項に記載の方法。
【請求項４】
前記フォトセンサの１つのトリガー確率を決定するステップは、前記フォトセンサの平均トリガー確率を決定するステップを含む、請求項１ないし３いずれか一項に記載の方法。
【請求項５】
前記フォトセンサの１つトリガー確率を決定するステップは、前記フォトセンサに入射する光子数に対する前記トリガー確率の依存性を決定するステップを含む、請求項１ないし４いずれか一項に記載の方法。
【請求項６】
フォトセンサのトリガー確率を決定するステップは、所定のトリガー閾値より低い、前記フォトセンサに入射する光子数の前記フォトセンサの第１のトリガー確率を決定するステップと、前記トリガー閾値以上である、前記フォトセンサに入射する光子数の前記フォトセンサの第２のトリガー確率を決定、特に測定するステップとを含む、
請求項１ないし５いずれか一項に記載の方法。
【請求項７】
前記トリガー確率を決定するステップは、前記トリガー確率の温度依存性を決定するステップを含み、前記尤度は測定された温度にも基づいて計算される、
請求項１ないし６いずれか一項に記載の方法。
【請求項８】
前記トリガー確率を決定するステップは、前記トリガー確率のシンチレーションイベントレートへの依存性を決定するステップを含み、前記尤度は測定されたシンチレーションイベントレートにも基づいて計算される、請求項１ないし７いずれか一項に記載の方法。
【請求項９】
前記トリガー確率を決定するステップは、前記トリガー確率の、トリガーされた隣接フォトセンサ数への依存性を決定するステップを含み、前記尤度は、トリガーされ測定された隣接フォトセンサ数にも基づいて計算される、
請求項１ないし８いずれか一項に記載の方法。
【請求項１０】
前記シンチレータ素子のロケーションの各々の尤度を計算するステップと、前記最大尤度を有するシンチレータ素子のロケーションを特定するステップとは、エネルギーを変えて、繰り返される、請求項１ないし９いずれか一項に記載の方法。
【請求項１１】
請求項１ないし１０いずれか一項に記載の方法を実行するコンピュータプログラムであって、プロセッサで実行されると、前記プロセッサに、
前記フォトセンサの各々について、所定のトリガー閾値を越える光子数を測定する、前記フォトセンサの確率を示すトリガー確率を決定するステップと、
前記フォトセンサから、個々のフォトセンサに入射した光子数を示す光子分布を測定するステップと、
前記フォトセンサの各々の、測定された光子分布とトリガー確率とに基づいて、所定のエネルギー値を有するシンチレーションイベントが前記シンチレータ素子のロケーションで発生する尤度を、前記シンチレータ素子のロケーションの各々について、計算するステップと、
最大尤度を有するシンチレータ素子のロケーションを特定するステップとを実行させる
コンピュータプログラム。
【請求項１２】
放射線粒子検出器であって、
放射線粒子がシンチレータ素子のロケーションで吸収されるのに応じて光子のバーストを放射するように構成された複数のシンチレータ素子のロケーションと、
前記シンチレータ素子のロケーションに光学的に結合した複数のフォトセンサと、
プロセッサであって、
前記フォトセンサの各々について、所定のトリガー閾値を越える光子数を測定する、前記フォトセンサの確率を示すトリガー確率を決定するステップと、
個々のフォトセンサに入射した光子数を示す光子分布を前記フォトセンサから取得するステップと、
前記フォトセンサの各々の、測定された光子分布とトリガー確率とに基づいて、所定のエネルギー値を有するシンチレーションイベントが前記シンチレータ素子のロケーションで発生する尤度を、前記シンチレータ素子のロケーションの各々について、計算するステップと、
最大尤度を有するシンチレータ素子のロケーションを特定するステップとを実行するように構成されたプロセッサとを含む、
放射線粒子検出器。
【請求項１３】
請求項１２に記載の少なくとも１つの放射線粒子検出器と、
特定されたシンチレータ素子のロケーションに基づいて画像表示を再構成する再構成部と、
再構成された画像表示の少なくとも一部を表示する表示部とを有する、
核画像化システム。
【請求項１４】
さらに、画像領域の周りに配置された複数の放射線粒子検出器を有し、前記再構成部は、陽電子放射断層撮影再構成法を実行するように構成された、
請求項１３に記載の核画像化システム。
【発明の詳細な説明】
【技術分野】
【０００１】
本発明は放射線粒子検出器の分野に関する。本発明は、核画像化システム、例えば、医療用又は研究用の陽電子放出断層撮影（ＰＥＴ）スキャナや単光子放出コンピュータ断層撮影（ＳＰＥＣＴ）スキャナなどに具体的に応用できる。
【背景技術】
【０００２】
ＰＥＴスキャナでは、画素化されたシンチレータ素子を用いて、入射する放射線粒子を、紫外または可視スペクトルの波長を有する光子のバーストに変換する。シンチレータ素子は一般的にマトリックス状に構成され、各シンチレータ素子は１×１ｍｍ２から４×４ｍｍ２のオーダーのベース領域を有する。シンチレーションイベントはそのシンチレータ素子に結合したフォトセンサで検出される。最先端のＰＥＴスキャナでは、一般的には、光子の衝突に応じて降伏するように構成された単一光子アバランシェダイオード（ＳＰＡＤｓ）のアレイを有する固体フォトセンサ、例えばシリコン光電子増倍器（ＳｉＰＭｓ）が使われる。
【０００３】
あるいは、シンチレータ物質の大きなブロックから構成されたモノリシックシンチレータ素子を用いても良い。モノリシックシンチレータは、一般的に、フォトセンサのアレイに結合し、そのフォトセンサのアレイはモノリシックシンチレータ素子中の異なるシンチレータ素子のロケーションにおけるシンチレーションイベントのロケーションを特定するように構成されている。
【０００４】
特定できるシンチレータ素子のロケーションの大きさは、画像の空間的解像度を決定する主な要因である。よって、解像度を大きくするため、小さいシンチレータ素子（ｓｍａｌｌ  ｓｃｉｎｔｉｌｌａｔｏｒ  ｅｌｅｍｅｎｔ  ｌｏｃａｔｉｏｎｓ）が望まれる。高解像度固体核画像化システムの探求において、単一フォトセンサのサイズより大きい解像度を得るため、アンガーロジック（Ａｎｇｅｒ  ｌｏｇｉｃ）が用いられている。シンチレータ及びフォトセンサを、放射されたシンチレーション光を複数のフォトセンサに広げる光ガイドと結合し、アンガーロジックでシンチレータ素子を特定することによって、解像度を向上できる。アンガーロジックは、隣接するフォトセンサからの情報に依存してシンチレータ素子のロケーションを特定するから、シンチレーションイベントがフォトセンサの不感時間中に発生したり、何らかの理由で個々のフォトセンサがアクティブでなくなったりしてフォトセンサの一部からの情報が無くなると、不正確になる。
【０００５】
フォトセンサ情報が無くなることに対するロバスト性を改善するために、シンチレーションイベントのロケーションを特定し、そのイベントのエネルギーを推定する最大尤度法が用いられている。最大尤度法は、一般的に、可能性のある各シンチレーションイベントのロケーションの尤度を計算し、それによりそのシンチレーションイベントのエネルギーを推定するステップを含む。通常、最大尤度を返すロケーションが、イベントの発生ロケーションであると仮定される。これらの最大尤度法は、１つのフォトセンサの測定情報が失われた場合には、アンガーロジックと比べて良い性能を示す。しかし、複数のフォトセンサの情報が失われて、シンチレーションイベントのロケーションの特定がうまくできなくなると、既知の最大尤度法はうまくいかない。
【０００６】
非特許文献１は、臨床前ＭＲ互換ＰＥＴスキャナの場合におけるガンマ線検出用の検出器を開示している。この検出器は、光共有原理（ｌｉｇｈｔ  ｓｈａｒｉｎｇ  ｐｒｉｎｃｉｐｌｅ）を用いる中間光ガイドと共に、ＬＹＳＯ結晶アレイとシリコン光電子増倍器のアレイとを含む。シンチレーションイベントの尤度の最大化に基づくポジショニング方式を開示している。この方法により、アクティブ結晶画素のインデックスが直接与えられ、レジスタされたガンマ線エネルギーの補正が可能になる。
【先行技術文献】
【非特許文献】
【０００７】
【非特許文献１】Ｃｈｒｉｓｔｏｐｈ  Ｗ．  Ｌｅｒｃｈｅ  ｅｔ  ａｌ著「Ｍａｘｉｍｕｍ  ｌｉｋｅｌｉｈｏｏｄ  ｂａｓｅｄ  ｐｏｓｉｔｉｏｎｉｎｇ  ａｎｄ  ｅｎｅｒｇｙ  ｃｏｒｒｅｃｔｉｏｎ  ｆｏｒ  ｐｉｘｅｌｌａｔｅｄ  ｓｏｌｉｄ−ｓｔａｔｅ  ＰＥＴ  ｄｅｔｅｃｔｏｒｓ」（２０１１  ＩＥＥＥ  Ｎｕｃｌｅａｒ  Ｓｃｉｅｎｃｅ  Ｓｙｍｐｏｓｉｕｍ  ａｎｄ  Ｍｅｄｉｃａｌ  Ｉｍａｇｉｎｇ  Ｃｏｎｆｅｒｅｎｃｅ，  Ｖａｌｅｎｃｉａ，  Ｓｐａｉｎ，  ２３−２９  Ｏｃｔｏｅｒ  ２０１１，  ＩＥＥＥ，  Ｐｉｔｓｃａｔａｗａｙ，  ＮＪ，  ｐｐ  ３６１０−３６１３）
【発明の概要】
【０００８】
フォトセンサの一部からの測定値が失われた場合であっても、シンチレータ素子のロケーションの識別を改善でき都合がよい。この問題をより良く解決するため、本発明の第１の態様では、放射線粒子検出器においてシンチレーションイベントの位置を決定する方法が提供される。該方法は、前記放射線粒子検出器は、シンチレータ素子のロケーションで放射線粒子が吸収されるのに応じて光子のバーストを放射するように構成された複数のシンチレータ素子のロケーションを有し、前記シンチレータ素子のロケーションに光学的に結合された複数のフォトセンサとを有し、前記方法は、
−  前記フォトセンサの各々について、所定のトリガー閾値を越える光子数を測定する、前記フォトセンサの確率を示すトリガー確率を決定するステップと、
−前記フォトセンサで、個々のフォトセンサに入射する光子数を示す光子分布を測定するステップと、
−  前記フォトセンサの各々の、測定された光子分布とトリガー確率とに基づいて、所定のエネルギー値を有するシンチレーションイベントが前記シンチレータ素子のロケーションで発生する尤度を、前記シンチレータ素子のロケーションの各々について、計算するステップと、
−  最大尤度を有するシンチレータ素子のロケーションを特定するステップとを含む。
【０００９】
本発明の他の一態様によると、上記方法を実行するコンピュータプログラム製品が提供される。該コンピュータプログラム製品は、少なくとも次のステップを実行するように構成された命令を含む：
−  前記フォトセンサの各々について、所定のトリガー閾値を越える光子数を測定する、前記フォトセンサの確率を示すトリガー確率を決定するステップと、
−  前記フォトセンサから、個々のフォトセンサに入射する光子数を示す光子分布を取得するステップと、
−  前記フォトセンサの各々の、測定された光子分布とトリガー確率とに基づいて、所定のエネルギー値を有するシンチレーションイベントが前記シンチレータ素子のロケーションで発生する尤度を、前記シンチレータ素子のロケーションの各々について、計算するステップと、
−  最大尤度を有するシンチレータ素子のロケーションを特定するステップ。
【００１０】
本発明のさらに他の態様によると、放射線粒子検出器が提供される。該検出器は、
−  放射線粒子がシンチレータ素子のロケーションで吸収されるのに応じて光子のバーストを放射するように構成された複数のシンチレータ素子のロケーションと、
−  前記シンチレータ素子のロケーションに光学的に結合された複数のフォトセンサと、
−  プロセッサであって、
−  前記フォトセンサの各々について、所定のトリガー閾値を越える光子数を測定する、前記フォトセンサの確率を示すトリガー確率を決定するステップと、
−  前記フォトセンサから、個々のフォトセンサに入射する光子数を示す光子分布を取得するステップと、
−  前記フォトセンサの各々の、測定された光子分布とトリガー確率とに基づいて、所定のエネルギー値を有するシンチレーションイベントが前記シンチレータ素子のロケーションで発生する尤度を、前記シンチレータ素子のロケーションの各々について、計算するステップと、
−  最大尤度を有するシンチレータ素子のロケーションを特定するステップを実行するように構成されたプロセッサを含む。
【００１１】
本開示のさらに他の一態様が関係するのは、核画像化システムであって、
−  少なくとも１つの、上記の放射線粒子検出器と、
−  特定されたシンチレータ素子のロケーションに基づいて画像表示を再構成する再構成部と、
−  再構成された画像表示の少なくとも一部を表示する表示部とを有する。
【００１２】
本発明によると、各フォトセンサに対して、トリガー確率が決定される。これは前記フォトセンサが所定閾値を越える量の光、すなわち数の光子を測定する確率を示す。フォトセンサは、シンチレーションイベントにより生じる測定値と暗雑音（ｄａｒｋ  ｎｏｉｓｅ）により生じる測定値とを弁別するためのトリガー閾値を有しても良い。一般的に、フォトセンサは、検出した光子数が所定のトリガー閾値を越えた時に測定データを出力する。フォトセンサにおける光分布が測定される。各シンチレータ素子のロケーションに対して、所定エネルギーを有するシンチレーションイベントが前記シンチレータ素子のロケーションで発生する尤度が、測定された光分布に基づいて計算される。個々のシンチレータ素子のロケーションの尤度を計算する時、各フォトセンサのトリガー確率がさらに考慮される。トリガー確率に基づく尤度を計算することにより、（例えば、非アクティブである、又は不感時間が長いため）トリガーの確率が比較的低いフォトセンサからの測定情報は、尤度を計算するとき、より重要ではないものとして扱われる。比較的高いトリガー確率を示すフォトセンサは、尤度を計算する時に、より高い加重を与えられる。本発明の方法は、フォトセンサの一部からの情報が失われても、シンチレーションイベントのロケーション特定（ｌｏｃａｌｉｚａｔｉｏｎ）を改善することが分かった。
【００１３】
本発明によると、シンチレータ素子のロケーションはモノリシックシンチレータ中のロケーションであってもよい。あるいは、シンチレータ素子のロケーションは、シンチレータ素子のアレイを含む画素化されたシンチレータ中のシンチレータ素子であってもよい。画素化されたシンチレータのシンチレータ素子は、画素化されたシンチレータの隣接するシンチレータ素子から光学的に分離されていてもよい。
【００１４】
本発明は、好ましくは、シンチレータ素子のロケーションの光をフォトセンサに誘導及び／又は分散する光ガイドを有する放射線粒子検出器に適用される。それにもかかわらず、本発明は、光ガイドを有しない放射線粒子検出器にも適用できる。
【００１５】
好ましくは、フォトセンサはシリコン光電子増倍器（ＳｉＰＭ）を含む。シリコン光電子増倍器は、共通のシリコン基板上に単一光子アバランシェダイオードのアレイを集積したものである。読み出し電子回路は、ＳｉＰＭからの測定データを取得するため、ＳｉＰＭに接続されてもよい。特に、フォトセンサは、共通シリコン基板上で、読み出し回路をＳＰＡＤｓと集積したデジタルＳｉＰＭを含んでいてもよい。トリガーするとき、ＳｉＰＭは、好ましくは、ＳｉＰＭにより検出された光子量に比例する測定信号を出力する。
【００１６】
本発明の好ましい一実施形態では、前記方法はさらに、
−  前記シンチレータ素子のロケーションの各々について、前記シンチレータ素子のロケーションでシンチレーションイベントが発生したときの、前記フォトセンサの各々に入射した基準光子数を示す基準光子分布を決定するステップと、
−  さらに前記基準光分布に基づいて前記尤度を計算するステップとを含む。
【００１７】
好ましくは、前記フォトセンサの各々の前記基準光子分布及び／又は前記トリガー確率は、校正手順中に取得された測定値に基づいて決定される。放射線検出器で放射線を検出する前に、校正測定を実行してもよい。有利にも、校正測定は、フォトセンサの不感時間をできるだけ減らすため、低シンチレーションレートで行われる。
【００１８】
本発明の好ましい他の一実施形態では、フォトセンサの１つのトリガー確率を決定するステップは、前記フォトセンサの平均トリガー確率を決定、特に測定、するステップを含む。平均トリガー確率を決定し、この平均確率を用いて、各シンチレータ素子のロケーションの尤度を計算することにより、シンチレーションイベントロケーション特定（ｌｏｃａｌｉｚａｔｉｏｎ）の性能を、少ない労力で改善できる。各フォトセンサに対して１つの一定の確率値を記憶すればよい。例えば、機能していないフォトセンサのトリガー確率はゼロに設定でき、機能しているフォトセンサのトリガー確率はゼロより大きい一定値に設定できる。
【００１９】
本発明の好ましい他の一実施形態では、前記フォトセンサの１つトリガー確率を決定するステップは、前記フォトセンサに入射する光子数に対する前記トリガー確率の依存性を決定するステップを含む。よって、入射光子数の関数であるトリガー確率に基づいて、各シンチレータ素子のロケーションの尤度を計算することが可能であり、それによりロケーション特定性能をさらに改善できる。
【００２０】
有利にも、フォトセンサのトリガー確率を決定するステップは、所定のトリガー閾値より低い、フォトセンサに入射する光子数の、前記フォトセンサの第１のトリガー確率を決定、特に測定するステップと、所定のトリガー閾値以上の、フォトセンサに入射する光子数の、前記フォトセンサの第２のトリガー確率を決定、特に測定するステップとを有し、それにより、尤度の計算にトリガー確率の単一ステップ関数モデルを用いることを可能にする。
【００２１】
本発明の好ましい他の一実施形態では、前記トリガー確率を決定するステップは、前記トリガー確率の温度依存性を決定、特に測定するステップを含み、前記尤度は測定された温度にも基づいて計算される。このように、尤度を計算するとき、トリガー確率の温度依存性を考慮でき、それによりシンチレーションイベントロケーション特定をさらに改善できる。
【００２２】
さらに好ましくは、前記トリガー確率を決定するステップは、前記トリガー確率のシンチレーションイベントレートへの依存性を決定、特に測定するステップを含み、前記尤度は測定されたシンチレーションイベントレートにも基づいて計算される。結果として、尤度を計算する際、トリガー確率のシンチレーションイベントレートへの依存性を考慮して、シンチレーションイベントロケーション特定をさらに改善することができる。シンチレーションイベントレートは平均イベントレートでも実際イベントレートでもよい。
【００２３】
本発明の好ましい他の一実施形態では、トリガー確率を決定するステップは、トリガー確率の、トリガーした隣接フォトセンサの数への依存性を決定、特に測定するステップを含み、前記尤度はさらに、トリガーした隣接フォトセンサの数に基づいて計算される。
【００２４】
有利にも、前記シンチレータ素子のロケーションの各々の尤度を計算するステップと、前記最大尤度を決定するステップとは、繰り返しごとにエネルギーを変えて、繰り返される、このように、シンチレーションイベントのロケーション及びエネルギーを繰り返し推定できる。
【００２５】
本発明の好ましい一実施形態では、核画像化システムは、画像領域の周りに配置された複数の放射線粒子検出器を有し、前記再構成部は、陽電子放射断層撮影再構成法を実行するように構成される。例えば、放射線検出器は、画像化領域の周りに半径方向に配置されてもよく、画像領域の周りに配置された複数のパネルの形式であってもよく、例えば、画像化領域を取り囲むリングであってもよい。
【００２６】
本発明の上記その他の態様を、以下に説明する実施形態を参照して明らかにし、説明する。
【図面の簡単な説明】
【００２７】
【図１】本発明の第１の実施形態による放射線粒子検出器を示す側面図である。
【図２】本発明の第２の実施形態による放射線粒子検出器を示す側面図である。
【図３】本発明の一実施形態による核画像化システムを示す模式図である。
【図４】本発明の一実施形態による方法に対応するフロー図である。
【発明を実施するための形態】
【００２８】
図１は、核画像化システム、例えば高解像度ＰＥＴスキャナで利用される放射線粒子検出器１の第１の実施形態を示す。放射線粒子検出器１は、複数の（シンチレータ素子の）ロケーションに画素化されたシンチレータを有し、シンチレータ素子のロケーションはシンチレータ素子２である。シンチレータ素子２の材料は、５１１ｋｅＶガンマ線に対して高い阻止能（ｓｔｏｐｐｉｎｇ  ｐｏｗｅｒ）を提供し、シンチレーションバーストの時間的崩壊が速いものが選択される。幾つかの好適なシンチレータ材料は、ＬＳＯ（ｌｕｔｅｔｉｕｍ  ｏｘｙｏｒｔｈｏｓｉｌｉｃａｔｅ）、ＬＹＳＯ（ｌｕｔｅｔｉｕｍ  ｙｔｔｒｉｕｍ  ｏｒｔｈｏｓｉｌｉｃａｔｅ）、及びＬａＢｒ（ｌａｎｔｈａｎｕｍ  ｂｒｏｍｉｄｅ）である。言うまでもなく、他の材料でできたシンチレータ素子２を替わりに使うこともできる。シンチレータ材料の構造は、例えば、結晶、多結晶、又はセラミックであってもよい。シンチレータ素子２はシンチレータレイヤ３中に構成される。シンチレータ素子２の間の光共有を避けるため、例えば、隣接するシンチレーション素子２の間に、反射膜などの反射材料４を配置する。あるいは、シンチレータ素子２を反射コーティングで包み込むこともできる。
【００２９】
シンチレーション素子２は、センサレイヤ６に結合される。センサレイヤは固体フォトセンサ５．１、５．２、５．３、５．４のアレイにより構成されている。シンチレータレイヤ３とフォトセンサレイヤ６との間に平面光ガイドが設けられ、シンチレーション光が複数のフォトセンサ５．１、５．２、５．３、５．４に広がるようにする。フォトセンサ５．１、５．２、５．３、５．４は、シリコン光電子増倍器（ＳｉＰＭｓ）であり、それぞれシリコン基板上にモノリシックに配置された単一光子アバランシェダイオードのアレイを有する。この実施形態によるフォトセンサ５．１、５．２、５．３、５．４はいわゆるデジタルシリコン光電子増倍器であり、単一光子アバランシェダイオードと共に読み出し回路を同一シリコン基板上に集積したものである。単一光子アバランシェダイオードは、光子の衝突に応じて降伏するように構成されている。デジタルシリコン光電子増倍器（ｄｉｇｉｔａｌ  ｓｉｌｉｃｏｎ  ｐｈｏｔｏｍｕｌｔｉｐｌｉｅｒ）内では、アレイの各単一光子アバランシェダイオードの状態のデジタル表示が利用できる。最先端のデジタルＳｉＰＭｓでは、すべてのダイオードの降伏状態のデジタル表示を用いて、降伏したすべての単一光子アバランシェダイオードの和を計算し、計算した値をデジタルタイムスタンプとともに出力する。降伏したすべての単一光子ダイオードの和が所定のトリガー閾値を越えると、フォトセンサ５．１、５．２、５．３、５．４の出力にエネルギーとタイムスタンプが出力される。
【００３０】
放射線粒子検出器１は、さらにロケーション特定部７を有する。ロケーション特定部（ｌｏｃａｌｉｚａｔｉｏｎ  ｕｎｉｔ）７は、シンチレータ素子ごとに、シンチレーションイベントの位置を特定するように構成されたプロセッサを有する。フォトセンサ５．１、５．２、５．３、５．４の少なくとも１つによる光子のバーストの検出に応じて、ロケーション特定部７は、光子のバーストを放射したシンチレーション素子２を決定する。第１の実施形態によるロケーション特定部７は、複数のフォトセンサ５．１、５．２、５．３、５．４に接続された別のユニットとして実装されている。あるいは、ロケーション特定部７は、単一光子アバランシェダイオード及び読み出しエレクトロニクスとともに、１つのフォトセンサ５．１、５．２、５．３、５．４の一部として、又は複数のフォトセンサ５．１、５．２、５．３、５．４とロケーション特定部７よりなるモジュールとして、同一基板上に実装できる。
【００３１】
図１は、シンチレータ素子２．１と相互作用するガンマ線１０を示す。結果として、波長がスペクトルの紫外又は可視部にある光子のバーストが、シンチレータ素子２．１により放射される。光子は反射器４により反射され、光ガイド８を介して、シンチレータ素子２．１を、フォトセンサ５．１に結合されたシンチレータ素子２．１の側に出る。光ガイド８に隣接した側にシンチレータ素子２．１を出る光は、光ガイド８により、複数のフォトセンサ５．２に広がる。よって、光子は第１のフォトセンサ５．１だけでなく第２のフォトセンサ５．２によっても受光される。
【００３２】
ロケーション特定部７は、図１と図４を参照して後で説明するステップ１００、１０１、１０２、１０３、及び１．４を実行するように構成されたプロセッサを含む。校正ステップ１００において、各シンチレータ素子のロケーション２に対する基準光子分布を決定する。一例として、上記のシンチレータ素子２．１に対応するシンチレータ素子のロケーションに対して、基準光子分布は、シンチレーションイベントが前記シンチレーション素子２．１のロケーションで発生した時の、各フォトセンサ５．１、５．２、５．３、５．４に入射する基準光子数を示す。以下、インデックスｉのシンチレータ素子でシンチレーションが発生した時に、インデックスｊのフォトセンサで検出される（光子数に対応する）シンチレーション光の平均割合はｃｉ，ｊで示される。
【００３３】
校正測定ステップ１００は、フォトセンサ５．１、５．２、５．３、５．４の不感時間（ｄｅａｄ  ｔｉｍｅ）をできるだけ減らすため、低シンチレーションイベントレートで実行される。さらにまた、校正に使われるデータは、放射線粒子検出器１のフォトセンサ５．１、５．２、５．３、５．４により完全に検出されるシンチレーションイベントに限定される。言い換えると、フォトセンサ５．１、５．２、５．３、５．４により検出される全エネルギーがガンマ線のエネルギー値に近いシンチレーションイベントに、データが限定される。校正ステップ中のシンチレーションイベントのロケーション特定は、情報が失われていないシンチレーションイベントに対してよく機能するアンガーロジック（Ａｎｇｅｒ  ｌｏｇｉｃ）を用いて行われる。
【００３４】
さらに、校正ステップ１００において、決定される校正データが用いられ、各フォトセンサ５．１、５．２、５．３、５．４に対して、所定のトリガー閾値を越える光子数を測定する前記フォトセンサ５．１、５．２、５．３、５．４の確率を示すトリガー確率が決定される。トリガー閾値は、例えば、１、２、２．３、３．３又は８．２光子など一組の有理数から選択された光子数に設定できる。決定されるトリガー確率は、一定でも、次のパラメータのうちの一又は複数の関数であってもよい：前記フォトセンサ５．１、５．２、５．３、５．４に入射する光子数、温度、シンチレーションイベントレート、トリガーされた隣接画素数。以下、トリガー確率は
（外１）
2017527782.tif 000003
と記す。ここで、ｊはフォトセンサのインデックス、ｉはシンチレータ素子のインデックス、Ｅはシンチレーションイベントにより残される（ｄｅｐｏｓｉｔ）推定エネルギーである。
【００３５】
尤度計算ステップ１０１において、光子分布は複数のフォトセンサ５．１、５．２、５．３、５．４から取得される。トリガーされた各フォトセンサ５．１、５．２、５．３、５．４は、前記フォトセンサ５．１、５．２、５．３、５．４に入射する光子数を示す。さらに、各シンチレータ素子２に対して、前記シンチレータ素子２において所定のエネルギー値を有するシンチレーションイベントが発生する尤度を計算する。計算は、測定された光子分布と、校正ステップ１００で決定された基準光子分布と、校正ステップ１００で決定されたトリガー確率とに基づく。測定される光子分布がｑ＝｛ｑｊ｝であるとして、ガンマ粒子がシンチレータ素子ｉにエネルギーＥを残す（ｄｅｐｏｓｉｔ）場合の尤度は、
【００３６】
【数１】
2017527782.tif 000004
で表せる。
【００３７】
尤度は、好ましくは、尤度関数の対数（いわゆる対数尤度）として計算される。対数尤度を用いることにより、計算負荷が減少するので、データ処理が容易になる。対応する対数尤度は
【００３８】
【数２】
2017527782.tif 000005
として規定される。
【００３９】
各シンチレータ素子２の尤度を計算した後、最大化ステップ１０２において、尤度が最大のシンチレータ素子２が特定される。これは、フォトセンサ５．２、５．２、５．３、５．４により検出された光子バーストの源であると仮定されるシンチレータ素子２である。
【００４０】
尤度計算ステップ１０１と最大化ステップ１０２とは繰り返し実行できる。このように、最大化ステップ１０２を完了した後、停止基準ステップ１０３において、プロセッサは停止基準が満たされたか決定する。停止基準は、例えば、所定の繰り返し数又は最小エネルギー値であり得る。停止基準が満たされた場合、本方法は終了し、例えば、ＰＥＴスキャナの再構成部１１におけるさらなる処理のため、最大化ステップ１０２で決定されたシンチレータ素子が、推定されたエネルギー値と共に出力される。停止基準が満たされない場合、尤度計算ステップ１０１で用いるエネルギー値を修正して各シンチレータ素子２の尤度を計算するエネルギー修正ステップ１０４が実行される。Ｅ（ｎ）をｎ回の繰り返し後の推定エネルギー値であるとすると、エネルギーは
【００４１】
【数３】
2017527782.tif 000006
と設定される。
【００４２】
図２は、本発明による放射線粒子検出器１の第２の実施形態を示す。図２に示した放射線粒子検出器１は、フォトセンサレイヤ６に隣接するシンチレータレイヤ３を有する。第２の実施形態のシンチレータレイヤ３は、シンチレータ物質のブロックよりなるモノリシックシンチレータである。第１の実施形態と比較して、画素化されたシンチレータのシンチレータ素子の替わりに、モノリシックシンチレータにおけるシンチレータ素子のロケーションが特定される。発明の方法を目的として、モノリシックシンチレータは、一定のピッチで複数のシンチレータ素子のロケーションを有すると仮定できる。
【００４３】
第２の実施形態による放射線粒子検出器は光ガイドを有しない。それにも関わらず、平面光ガイドが任意的にシンチレータレイヤ３とフォトセンサレイヤ６との間に配置され、光がフォトセンサ５．１、５．２、５．３、５．４に広がるようにする。
【００４４】
図２は、ガンマ線１０の、シンチレータレイヤ３のモノリシックシンチレータ２との相互作用を示す。ガンマ線１０はシンチレータ素子のロケーションで阻止され、その結果生じる光子のバーストが隣接するフォトセンサ５．１、５．２、５．３に広がる。
【００４５】
第２の実施形態による放射線粒子検出器におけるシンチレーションイベントの位置とエネルギーは、第１の実施形態を参照して説明したように決定してもよい。
【００４６】
図３は、複数の放射線粒子検出器１を含むＰＥＴスキャナとして校正された核画像化システムを示す図である。放射線粒子検出器１は、軸方向に沿った一以上のリングに配置されている。しかし、放射線粒子検出器１の他の配置を用いてもよい。放射線粒子検出器１は検査領域を取り囲んでいる。検査領域に位置づけられた被験者は、放射線粒子検出器１により検出される特性エネルギーを有するガンマ線その他の放射線粒子を放出する放射性医薬品の投与を受けている。
【００４７】
核画像化システムは、さらに、陽電子放射断層撮影再構成法を実行するように構成された再構成部１１を有する。再構成部は、複数の放射線粒子検出器１に接続され、シンチレータ素子特定データを受け取る。再構成部１１は、放射線粒子検出器１のシンチレータ素子特定データを再構成して、画像表示にする。これはメモリ１２に記憶される。ディスプレイ１３がメモリ１２に接続され、再構成された画像表示の少なくとも一部を表示する。
【００４８】
本発明を、図面と上記の説明に詳しく示し説明したが、かかる例示と説明は例であり限定ではなく、本発明は開示した実施形態には限定されない。例えば、核画像化システムがＳＰＥＣＴスキャナである実施形態で、本発明を実施することができる。
【００４９】
本発明の他の一実施形態では、ロケーション特定部（ｌｏｃａｌｉｚａｔｉｏｎ  ｕｎｉｔ）７は、コンピュータプログラム製品を実行するように構成されたプロセッサとして提供される。該コンピュータプログラム製品は、少なくとも、次のステップを実行するように構成された命令を含む：前記フォトセンサ５．１、５．２、５．３、５．４の各々について、所定のトリガー閾値を越える光子数を測定する、前記フォトセンサ５．１、５．２、５．３、５．４の確率を示すトリガー確率を決定するステップと、個々のフォトセンサ５．１、５．２、５．３、５．４に入射した光子数を示す光子分布を前記フォトセンサ５．１、５．２、５．３、５．４から取得するステップと、前記フォトセンサ５．１、５．２、５．３、５．４の各々の、測定された光子分布とトリガー確率とに基づいて、所定のエネルギー値を有するシンチレーションイベントが前記シンチレータ素子のロケーションで発生する尤度を、前記シンチレータ素子のロケーションの各々について、計算するステップと、最大尤度を有するシンチレータ素子のロケーションを特定するステップとを含む。コンピュータプログラム製品は、光記憶媒体や他のハードウェアとともに、またはその一部として供給される固体媒体などの適切な媒体に記憶及び／または配布することができ、インターネットや有線または無線の電気通信システムなどを介して他の形式で配信することもできる。
【００５０】
請求項に記載した発明を実施する際、図面、本開示、及び添付した特許請求の範囲を研究して、開示した実施形態のその他のバリエーションを、当業者は理解して実施することができるであろう。請求項において、「有する（ｃｏｍｐｒｉｓｉｎｇ）」という用語は他の要素やステップを排除するものではなく、「１つの（“ａ”  ｏｒ  “ａｎ”）」という表現は複数ある場合を排除するものではない。相異なる従属クレームに手段が記載されているからといって、その手段を組み合わせて有利に使用することができないということではない。さらに、明細書において、第１の、第２の、第３のなどの文言は、同様のエレメントを区別するために用いられ、必ずしも生起や時間的順序を記述するものではない。請求項に含まれる参照符号は、その請求項の範囲を限定するものと解してはならない。
【図１】
2017527782.tif 000007
【図２】
2017527782.tif 000008
【図３】
2017527782.tif 000009
【図４】
2017527782.tif 000010
【国際調査報告】
2017527782.tif 000011
2017527782.tif 000012
2017527782.tif 000013